(57)【要約】【課題】  制御チャネルの受信誤りを無くすと共に、送信電力の浪費を防ぎ、無線回線容量の低減を防ぐことができる送受信装置を提供する。【解決手段】  目標ＳＩＲと受信信号のＳＩＲとを比較して相手装置の送信電力の制御を行うものであり、目標ＳＩＲ算出部３７が、受信信号の通信品質に基づいて算出ＳＩＲを求め、随時更新して算出ＳＩＲ記憶部４０に記憶し、所要ＳＩＲ記憶部４１が、制御データの受信に必要な所要ＳＩＲの値を記憶しており、制御データを送信すると、目標ＳＩＲ切替制御部４２が、算出ＳＩＲと所要ＳＩＲとを比較し、算出ＳＩＲ≧所要ＳＩＲであれば、算出ＳＩＲを目標ＳＩＲとし、算出ＳＩＲ＜所要ＳＩＲであれば、所要ＳＩＲを目標ＳＩＲとして、制御データを受信完了した場合又は一定時間が経過した場合には、更新された算出ＳＩＲを目標ＳＩＲとして設定する送受信装置としている。【選択図】        図４
2012134600.tif 000002
【特許請求の範囲】
【請求項１】
設定された希望波対干渉波電力比の目標値を記憶しておき、通信相手装置からの受信信号の希望波対干渉波電力比を測定し、前記測定値と前記目標値とを比較して前記相手装置における送信電力を制御する送受信装置であって、
受信信号の通信品質に基づいて、前記目標値の候補となる値を算出する目標値算出部と、
前記目標値算出部で算出された候補値を、時間の経過と共に更新して記憶する第１の記憶部と、
通信制御を行う制御データを誤りなく受信するのに必要な希望波対干渉波電力比の値を所要値として記憶しておく第２の記憶部と、
相手装置に制御データを送信した場合には、前記第１の記憶部に記憶された候補値と前記第２の記憶部に記憶された所要値とを比較して、前記候補値が前記所要値以上であれば、前記候補値を前記目標値として設定し、前記候補値が前記所要値未満であれば、前記所要値を前記目標値として設定し、その後一定時間経過した場合又は前記相手装置からの制御データの受信を完了した場合には、前記第１の記憶部に更新されて記憶されている候補値を前記目標値として設定する目標値切替制御部とを備えたことを特徴とする送受信装置。
【発明の詳細な説明】
【技術分野】
【０００１】
本発明は、Ｗ−ＣＤＭＡ（Wideband-Code Division Multiple Access）移動体通信システムに用いられる送受信装置に係り、特に制御データの受信誤りを防ぐと共に、過剰な送信電力による無線回線容量の低減を防ぐことができる送受信装置に関する。
【背景技術】
【０００２】
［先行技術の説明］
Ｗ−ＣＤＭＡ移動体通信システムにおいては、無線回線容量の増大を図るため、各送受信装置では、個々のチャネルを出来る限り低電力で送信するように送信電力制御が行われる。
上下回線が対となって用いられるチャネル（例えば、個別物理チャネル）では、クローズドループ送信電力制御が適用される。クローズドループ送信電力制御は、送受信装置の送信電力制御回路で行われる処理であり、インナーループ制御とアウターループ制御の２段階で構成されている。
【０００３】
ここで、従来の送受信装置におけるクローズドループ送信電力制御について図６を用いて説明する。図６は、従来の送受信装置における送信電力制御回路の模式説明図である。
図６に示すように、従来の送受信装置は、逆拡散部３１と、Ｒａｋｅ受信部３２と、送信電力制御回路６′として、ＳＩＲ（Signal to Interference Ratio；希望波対干渉波電力比）測定部３３と、比較判定部３４と、ＴＰＣｂｉｔ生成部３５と、長区間品質測定部３６と、目標ＳＩＲ算出部３７と、目標品質記憶部３８と、目標ＳＩＲ記憶部３９とを備えている。
また、図示は省略するが、受信したＴＰＣｂｉｔに基づいて送信電力の制御を行う制御部が設けられている。
【０００４】
逆拡散部３１は、入力された受信ベースバンド信号に逆拡散処理を施して復号する。
Ｒａｋｅ受信部３２は、逆拡散によって得られたマルチパスの成分を、時間を調整して合成する。
ＳＩＲ測定部３３は、合成された受信信号についてＳＩＲを測定する。
目標ＳＩＲ記憶部３９は、外部から入力された目標品質を満たすようアウターループで算出された目標ＳＩＲ値を記憶している。
【０００５】
比較判定部３４は、受信信号のＳＩＲ値（受信ＳＩＲ）と、目標ＳＩＲ記憶部３９に記憶されている目標ＳＩＲ値（目標ＳＩＲ）とを比較して、通信相手の送信電力を制御するコマンド生成の指示を出力する。
具体的には、比較判定部３４は、受信ＳＩＲ≧目標ＳＩＲであれば送信電力を下げるＤｏｗｎコマンドを生成する指示を出力し、受信ＳＩＲ＜目標ＳＩＲであれば送信電力を上げるＵｐコマンドを生成する指示を出力する。
ＴＰＣｂｉｔ生成部３５は、比較判定部３４からの指示に従って、Ｄｏｗｎコマンド又はＵｐコマンドを生成し、送信側制御チャネルにマッピングするよう変調部に出力する。
【０００６】
また、長区間品質測定部３６は、ＢＬＥＲ（Block Error Rate）等の通信品質をある程度長区間（数１００msから数s）で測定する。
目標品質記憶部３８は、予め設定された目標となる通信品質（目標品質）を記憶する。
目標ＳＩＲ算出部３７は、測定されたＢＬＥＲと目標品質とを比較して、目標品質を満たし、送信電力をできるだけ抑えるための目標ＳＩＲを算出し、目標ＳＩＲ記憶部３９に記憶する。
具体的には、目標ＳＩＲ算出部３７は、測定された通信品質が目標品質より良好であれば（測定ＢＬＥＲ≦目標品質の誤り率）、目標ＳＩＲを所定の下げ幅だけ下げて設定し、測定された通信品質が目標品質より低ければ（測定ＢＬＥＲ＞目標品質の誤り率）、目標ＳＩＲを所定の上げ幅だけ上げて設定する。
【０００７】
［インナーループ制御：図６］
インナーループ制御の動作について図６を用いて説明する。
受信側装置において受信された受信ベースバンド信号は、逆拡散部３１で逆拡散され、Ｒａｋｅ受信部３２でＲａｋｅ合成され、ＳＩＲ測定部３３でＳＩＲが測定される。
そして、比較判定部３４が、測定されたＳＩＲと目標ＳＩＲ記憶部３９の目標ＳＩＲとを比較して、受信ＳＩＲ≧目標ＳＩＲであればＤｏｗｎコマンドを生成する指示を出力し、受信ＳＩＲ＜目標ＳＩＲであればＵｐコマンドを生成する指示を出力する。
【０００８】
そして、ＴＰＣｂｉｔ生成部３５が、指示に従ってＤｏｗｎコマンド又はＵｐコマンドを生成して、変調部（図示せず）に出力し、送信側制御チャネルにマッピングされて送信される。
送信側装置では、当該ＴＰＣｂｉｔを受信して復号し、Ｄｏｗｎコマンドであれば送信電力を１ｄＢ低減し、Ｕｐコマンドであれば１ｄＢ増大させるよう制御する。
このようにして、インナーループ制御が行われる。
【０００９】
［アウターループ制御：図６］
次に、アウターループ制御の動作について図６を用いて説明する。
アウターループ制御では、受信側装置において、通信品質（ＢＬＥＲ）が、設定された目標値（目標品質）を満たし、且つ過剰な送信電力とならないようにインナーループ制御の基準となる目標ＳＩＲを制御する。
具体的には、長区間品質測定部３６が、通信品質をある程度長区間（数１００msから数s）で測定し、目標ＳＩＲ算出部３７が、測定された通信品質と目標品質記憶部３８に記憶された目標品質とを比較して、目標品質よりも良好であれば、目標ＳＩＲを下げるよう算出し、目標品質よりも悪い場合は目標ＳＩＲを上げるように算出して、算出された目標ＳＩＲを目標ＳＩＲ記憶部３９に記憶する。
【００１０】
このとき、通常は、目標ＳＩＲを下げる場合の下げ幅（Step Down Size）は小さく、上げる場合の上げ幅（Step Up Size）は大きく設定され、下げ幅と上げ幅とを、
Step Down Size ＝ Step Up Size×目標ＢＬＥＲ／（１−目標ＢＬＥＲ）
の関係を満たすように設定することにより、通信品質を目標品質に近づけることが可能である。
【００１１】
［目標ＳＩＲと受信誤り：図７］
上述したアウターループ制御で設定される目標ＳＩＲと受信誤りの有無について図７を用いて説明する。図７は、目標ＳＩＲと受信誤りとの関係を示す模式説明図である。
図７に示すように、目標ＳＩＲが高いと受信誤りはなく通信品質は目標品質以上であるため、アウターループ制御によって目標ＳＩＲをStep Down Sizeずつ徐々に下げ、送信電力の低減を図る。
【００１２】
そして、目標ＳＩＲが一定レベルより低くなると、受信誤りが発生してしまい、通信品質が目標品質を下回るため、目標ＳＩＲをStep Up Sizeだけ上げる。
このようにして、アウターループ制御では、通信品質を一定水準以上に保ちつつ、送信電力をできるだけ小さく抑えるように目標ＳＩＲ値を設定するものである。
【００１３】
［トラフィックチャネルと制御チャネル］
個別物理チャネルには、ユーザデータ通信用のトラフィックチャネルと、制御データ通信用の制御チャネルが多重され、それぞれのチャネルにアウターループ制御の目標品質が設定される。
【００１４】
パケット通信等では、ある程度の伝送遅延が許容されており、受信データに誤りがあっても正しく受信できるまでデータ再送を行うことが可能である。そのため、トラフィックチャネルでは、高いサービス品質（ＱｏＳ：Quality of Service）が要求されず、トラフィックチャネルの目標品質（ＢＬＥＲ）は比較的高い誤り率が設定されて、ある程度の受信誤りが許容される。
【００１５】
一方、制御チャネルでは、個別物理チャネルの状態を変更するような重要な制御データも送受信されるため、もし受信に失敗すると、移動局と基地局の状態が不一致になることにより呼の切断を引き起こすこともある。そのため、制御チャネルは誤り無く受信できることが望ましく、制御チャネルの目標品質（ＢＬＥＲ）には低い誤り率が設定される。
【００１６】
一般に、ユーザデータは制御データに比較してデータ量が多いため、トラフィックチャネルと制御チャネルが多重された状況下では、トラフィックチャネルに対するアウターループ制御が支配的となる。
すなわち、パケットデータ通信中は、受信側装置は、アウターループ制御によりトラフィックチャネルの通信品質（ＢＬＥＲ）が目標値（目標ＢＬＥＲ）に近づくように目標ＳＩＲ値を制御するが、トラフィックチャネルの目標ＢＬＥＲは比較的高い値であるため、目標ＳＩＲ値は低い値に制御される。
【００１７】
このような状況下で制御データが送受信された場合、受信側でトラフィックチャネルの目標品質に応じて制御された目標ＳＩＲ値が制御チャネルを誤り無く受信するための所要品質に満たないことがあり得る。その結果、制御チャネルの受信に失敗する場合がある。
【００１８】
［多重された場合の伝送誤り：図８］
次に、トラフィックチャネルと制御チャネルとが多重された場合の目標ＳＩＲ値と伝送誤りの有無について図８を用いて説明する。図８は、トラフィックチャネルと制御チャネルとが多重された場合の目標ＳＩＲ値と伝送誤りの有無を示す模式説明図である。但し、図８では、説明を簡単にするため、アウターループ制御はトラフィックチャネルについてのみ行われており、制御チャネルについては行われていないものとする。
図８に示すように、トラフィックチャネルのみについてアウターループ制御を行うと、目標ＳＩＲ値が制御チャネルの所要ＳＩＲを下回ることがあり、トラフィックチャネルは誤りなく受信できても、制御チャネルを受信すると受信誤りが発生してしまう。
【００１９】
また、制御チャネルを正常に受信するために目標ＳＩＲ値を制御チャネルで要求される品質以上とすると、データ量の多いトラフィックチャネルの品質が目標品質よりも高くなってしまい、送信電力を無駄に消費し、伝送容量の低下を招いてしまう。
【００２０】
［関連技術］
尚、送受信装置における送信電力制御に関する技術としては、特開２００５−１５９４９６号公報「送信電力制御方法」（出願人：株式会社日立国際電気、特許文献１）がある。
特許文献１には、対向局からの信号のＳＩＲを測定し、受信ＳＩＲと基準品質との差の絶対値を複数段階に分け、受信ＳＩＲがどの段階に属するかを判定し、当該段階に対応して単位周期時間毎に電力制御コマンドを生成することで、制御遅延に起因する寄生振動による品質劣化を軽減することが記載されている。
【先行技術文献】
【特許文献】
【００２１】
【特許文献１】特開２００５−１５９４９６号公報
【発明の概要】
【発明が解決しようとする課題】
【００２２】
しかしながら、従来の送受信装置では、トラフィックチャネルに基づくアウターループ制御で目標ＳＩＲ値を設定すると、制御チャネルに受信誤りが発生してしまい、制御チャネルの所要ＳＩＲを目標ＳＩＲ値とすると、トラフィックチャネルの品質が必要以上に良好となり、必要以上の送信電力を要求してしまい、無線回線容量を低減させる要因となってしまうという問題点があった。
【００２３】
本発明は、上記実状に鑑みて為されたもので、制御チャネルの受信誤りを無くすと共に、送信電力の浪費を防ぎ、無線回線容量の低減を防ぐことができる送受信装置を提供することを目的とする。
【課題を解決するための手段】
【００２４】
上記従来例の問題点を解決するための本発明は、設定された希望波対干渉波電力比の目標値を記憶しておき、通信相手装置からの受信信号の希望波対干渉波電力比を測定し、測定値と目標値とを比較して相手装置における送信電力を制御する送受信装置であって、受信信号の通信品質に基づいて、目標値の候補となる値を算出する目標値算出部と、目標値算出部で算出された候補値を、時間の経過と共に更新して記憶する第１の記憶部と、通信制御を行う制御データを誤りなく受信するのに必要な希望波対干渉波電力比の値を所要値として記憶しておく第２の記憶部と、相手装置に制御データを送信した場合には、第１の記憶部に記憶された候補値と第２の記憶部に記憶された所要値とを比較して、候補値が所要値以上であれば、候補値を目標値として設定し、候補値が所要値未満であれば、所要値を目標値として設定し、その後一定時間経過した場合又は相手装置からの制御データの受信を完了した場合には、第１の記憶部に更新されて記憶されている候補値を目標値として設定する目標値切替制御部とを備えたことを特徴としている。
【発明の効果】
【００２５】
本発明によれば、設定された希望波対干渉波電力比の目標値を記憶しておき、通信相手装置からの受信信号の希望波対干渉波電力比を測定し、測定値と目標値とを比較して相手装置における送信電力を制御する送受信装置であって、受信信号の通信品質に基づいて、目標値の候補となる値を算出する目標値算出部と、目標値算出部で算出された候補値を、時間の経過と共に更新して記憶する第１の記憶部と、通信制御を行う制御データを誤りなく受信するのに必要な希望波対干渉波電力比の値を所要値として記憶しておく第２の記憶部と、相手装置に制御データを送信した場合には、第１の記憶部に記憶された候補値と第２の記憶部に記憶された所要値とを比較して、候補値が所要値以上であれば、候補値を目標値として設定し、候補値が所要値未満であれば、所要値を目標値として設定し、その後一定時間経過した場合又は相手装置からの制御データの受信を完了した場合には、第１の記憶部に更新されて記憶されている候補値を目標値として設定する目標値切替制御部とを備えた送受信装置としているので、相手装置から制御データの受信の可能性が高いタイミングでは、希望波対干渉波電力比の目標値を所要値以上に設定して、制御データを誤りなく受信可能とすると共に、高い目標値を必要以上に設定し続けて過剰な送信電力を要求しないようにして、無線回線容量の低減を防ぐことができる効果がある。
【図面の簡単な説明】
【００２６】
【図１】本発明の実施の形態に係る送受信装置の構成ブロック図である。
【図２】送信データのフォーマットを示す模式説明図である。
【図３】本装置におけるアウターループ制御の概要を示す説明図である。
【図４】本装置の送信電力制御回路６の構成ブロック図である。
【図５】本装置の目標ＳＩＲ切替制御部４２における目標ＳＩＲの切り替え制御のフローチャートである。
【図６】従来の送受信装置における送信電力制御回路の模式説明図である。
【図７】目標ＳＩＲと受信誤りとの関係を示す模式説明図である。
【図８】トラフィックチャネルと制御チャネルとが多重された場合の目標ＳＩＲ値と伝送誤りの有無を示す模式説明図である。
【発明を実施するための形態】
【００２７】
［実施の形態の概要］
本発明の実施の形態について図面を参照しながら説明する。
本発明の実施の形態に係る送受信装置は、インナーループ制御の基準となる目標ＳＩＲを設定する目標ＳＩＲ切替制御部を備え、目標ＳＩＲ切替制御部が、対向局から制御データを受信することが予想されるタイミングになると、通常の（従来と同様の）アウターループ制御により算出された算出ＳＩＲと、制御チャネルの所要ＳＩＲとを比較し、算出ＳＩＲが所要ＳＩＲを下回った場合には、目標ＳＩＲを一時的に所要ＳＩＲ以上の値に引き上げて設定し、制御データ受信後又は引き上げから一定時間経過後に、算出ＳＩＲを目標ＳＩＲとして設定するようにしており、制御データを誤りなく受信できると共に送信電力を極力低減でき、回線容量の低減を防ぐことができるものである。
尚、目標ＳＩＲは、請求項における「目標値」に相当し、算出ＳＩＲは、請求項における「候補値」に相当し、所要ＳＩＲは、請求項における「所要値」に相当している。
【００２８】
［本実施の形態の構成：図１］
本発明の実施の形態に係る送受信装置（本装置）の構成について図１を用いて説明する。図１は、本発明の実施の形態に係る送受信装置の構成ブロック図である。
図１に示すように、本装置は、受信部１と、逆拡散部２と、Ｒａｋｅ受信部３と、復調部４と、復号部５と、送信電力制御回路６と、符号化部７と、変調部８と、送信部９とを備えている。
尚、図示は省略するが、装置全体の制御を行う制御部を備え、制御部は、受信し復号されたＴＰＣコマンドに基づいて送信部９における送信電力を制御したり、制御データの送信／受信を送信電力制御回路６に報知する。
【００２９】
受信部１は、無線信号を受信してベースバンド信号に変換する。
逆拡散部２は、受信ベースバンド信号を逆拡散する。
Ｒａｋｅ受信部３は、逆拡散によって得られたマルチパスの成分を合成する。
復調部４は、送信側の変調方式に対応する復調方式でデマッピングする。
復号部５は、復調されたデータを復号して受信データを得る。
【００３０】
送信電力制御回路６は、受信信号に基づいて送信電力を制御するクローズドループ送信電力制御を行う。送信電力制御回路６の構成及び動作については後で詳細に説明する。
符号化部７は、送信すべきデータを所定の符号化方式で符号化する。
変調部８は、符号化データと送信電力制御回路６から出力されたＴＰＣｂｉｔとを所定の変調方式でマッピングする。
送信部９は、変調されたデータを制御部から指定された送信電力で送信する。
【００３１】
［送信データフォーマット：図２］
次に、送信データのフォーマットについて図２を用いて説明する。図２は、送信データのフォーマットを示す模式説明図である。
図２に示すように、本装置の送信データは、ＴＰＣｂｉｔ（ビット）と、パイロットシンボルと、データとから構成されている。
【００３２】
［本装置におけるアウターループ制御：図３］
次に、本装置におけるアウターループ制御の概要について図３を用いて説明する。図３は、本装置におけるアウターループ制御の概要を示す説明図である。
本装置では、対向装置から制御チャネルを受信することが予想されるタイミングでは、制御データを誤りなく受信できるように、目標ＳＩＲを、制御チャネルが要求する所要ＳＩＲのレベルまで引き上げるようにしている。
それと共に、本装置では、目標ＳＩＲを引き上げて設定している間も、従来と同様のアウター制御で算出ＳＩＲを求める処理を行って、算出ＳＩＲを随時更新しておき、制御チャネルの受信が完了した場合、又は目標ＳＩＲの引き上げ後、一定時間が経過した場合には、目標ＳＩＲを算出ＳＩＲに戻すものである。
【００３３】
制御データを受信するタイミングは、一般には未知であるが、例えば、送達確認モード（Ａｃｋｎｏｗｌｅｄｇｅ  Ｍｏｄｅ）でデータを送信した場合には、送達確認データ（ＡＣＫ／ＮＡＣＫ）が相手局から返送される。
また、制御シーケンス手順によっては、要求制御メッセージ（Ｒｅｑｕｅｓｔ）を送信した後、完了報告（Ｃｏｍｐｌｅｔｅ）、確認（Ｃｏｎｆｉｒｍ）、応答（Ｒｅｓｐｏｎｓｅ）等の返答メッセージが相手局から返送される場合がある。
【００３４】
本装置は、制御データ送信直後には相手局から返送される制御データを受信する可能性が高いことを利用して、制御データ送信直後のタイミングで目標ＳＩＲが制御データの所要ＳＩＲ以上となるよう制御するようにしたものである。
【００３５】
図３に示すように、本装置では、通常は従来と同様にトラフィックチャネルの受信結果に基づいて目標ＳＩＲの制御を行い、アウターループ制御によって算出されたＳＩＲ（図では「従来の目標ＳＩＲ」、以後、「算出ＳＩＲ」とする）を目標ＳＩＲに設定する。
そして、トラフィックチャネルに受信誤りがなければ、目標ＳＩＲを所定の下げ幅で徐々に下げていき、受信誤りがあると、目標ＳＩＲを所定の上げ幅だけ上げて設定する。
【００３６】
ここで、本装置の特徴として、制御データを送信すると（図では「↑」で示す）、その時点の算出ＳＩＲをそのまま目標ＳＩＲとするのではなく、予め記憶しておいた制御チャネルの所要ＳＩＲの値と、算出ＳＩＲとを比較する。
そして、制御データ送信後に、算出ＳＩＲが、制御チャネルの所要ＳＩＲ以上であれば、従来と同様に算出ＳＩＲを目標ＳＩＲとして設定する。
一方、制御データ送信後に、算出ＳＩＲが所要ＳＩＲを下回っていた場合には、本装置は、記憶している所要ＳＩＲを目標ＳＩＲとして設定する。
これにより、制御データの送信後、相手局から制御データの応答があった場合に誤りなく受信可能となるものである。
【００３７】
更に、本装置では、目標ＳＩＲの値を一時的に引き上げている場合にも、トラフィックチャネルに基づいて算出ＳＩＲを求める処理は継続しており、相手局から制御データを受信した場合（受信が完了した場合）、又は目標ＳＩＲの引き上げ後一定時間経過した場合には、目標ＳＩＲを算出ＳＩＲに戻す。
これにより、制御データの受信が期待されないタイミングでは、無駄に送信電力を高くしないようにして、無線回線容量の低減を防ぐことができるものである。
【００３８】
尚、制御データを送信しない場合のアウターループ制御は従来と同様となり、算出ＳＩＲを目標ＳＩＲとする。つまり、トラフィックチャネルに受信誤りがなければ、目標ＳＩＲは小さい下げ幅で徐々に減少するが、受信誤りがあった場合には、目標ＳＩＲを所定の上げ幅だけ上昇させる。
【００３９】
［送信電力制御回路の構成：図４］
次に、本装置の送信電力制御回路６の構成について図４を用いて説明する。図４は、本装置の送信電力制御回路６の構成ブロック図である。
図４に示すように、本装置の送信電力制御回路６は、図６に示した従来の送信電力制御回路と同様の部分として、ＳＩＲ測定部３３と、比較判定部３４と、ＴＰＣｂｉｔ生成部３５と、長区間品質測定部３６と、目標ＳＩＲ算出部３７と、目標品質記憶部３８と、目標ＳＩＲ記憶部３９を備え、本装置の特徴部分として、算出ＳＩＲ記憶部４０と、所要ＳＩＲ記憶部４１と、目標ＳＩＲ切替制御部４２とを備えている。
従来と同一の符号を付した部分については、構成及び動作が同様であるため、説明は省略する。
【００４０】
本装置の特徴部分について説明する。
算出ＳＩＲ記憶部４０は、目標ＳＩＲ算出部３７で算出された算出ＳＩＲを記憶する。算出ＳＩＲは、従来のアウターループ制御で算出されていた目標ＳＩＲと同等のものである。尚、算出ＳＩＲ記憶部４０は、請求項における第１の記憶部に相当している。
所要ＳＩＲ記憶部４１は、制御データを誤りなく受信するために必要なＳＩＲの値を記憶している。所要ＳＩＲ記憶部４１は、請求項における第２の記憶部に相当している。
【００４１】
また、目標ＳＩＲ切替制御部４２は、本装置の特徴部分であり、算出ＳＩＲ記憶部４０に記憶されている算出ＳＩＲの値、又は所要ＳＩＲ記憶部４１に記憶されている所要ＳＩＲの値のいずれかを、インナーループの制御で用いられる目標ＳＩＲとして目標ＳＩＲ記憶部３９に設定する。
【００４２】
具体的には、目標ＳＩＲ切替制御部４２は、通常は算出ＳＩＲ記憶部４０に記憶されている算出ＳＩＲを目標ＳＩＲとして目標ＳＩＲ記憶部３９に設定するが、制御データを送信したことを制御部から報知されると、算出ＳＩＲと、所要ＳＩＲ記憶部４１に記憶されている所要ＳＩＲとを比較する。
そして、目標ＳＩＲ切替制御部４２は、算出ＳＩＲ≧所要ＳＩＲであれば、算出ＳＩＲを目標ＳＩＲ記憶部３９に設定し、算出ＳＩＲ＜所要ＳＩＲであれば、所要ＳＩＲを目標ＳＩＲ記憶部３９に設定する。
【００４３】
これにより、制御データ送信後、相手局から応答の制御データを受信する可能性が高い期間について、目標ＳＩＲを制御データの受信に必要な所要ＳＩＲ以上とすることができ、制御データを誤りなく受信することができるものである。
【００４４】
［本装置の動作：図４］
次に、本装置の動作について図４を用いて説明する。
インナーループの動作は従来と同様であるため、説明は省略する。
アウターループの動作について説明する。
本装置の目標ＳＩＲ算出部３７では、従来と同様に、長区間品質測定部３６で測定されたＢＬＥＲ等の通信品質と、目標品質記憶部３８に記憶された目標品質とを比較して、測定された通信品質が目標品質よりも良好であれば、算出ＳＩＲを所定の下げ幅だけ下げて算出ＳＩＲ記憶部４０に設定する。また、測定された通信品質が目標品質よりも低ければ、算出ＳＩＲを所定の上げ幅だけ上げて設定する。
目標ＳＩＲ算出部３７は、随時算出処理を行って算出された算出ＳＩＲの値を算出ＳＩＲ記憶部４０に記憶し、算出ＳＩＲ記憶部４０を更新しておく。
【００４５】
一方、外部からの設定により、所要ＳＩＲ記憶部４１には、制御データの受信に必要なＳＩＲのレベルとして所要ＳＩＲが記憶されている。
【００４６】
そして、目標ＳＩＲ切替制御部４２が、制御部から、制御データ送信を報知されると、算出ＳＩＲ記憶部４０の算出ＳＩＲと、所要ＳＩＲ記憶部４１の所要ＳＩＲとを比較して、算出ＳＩＲ≧所要ＳＩＲであれば、算出ＳＩＲを目標ＳＩＲ記憶部３９に設定し、算出ＳＩＲ＜所要ＳＩＲであれば、所要ＳＩＲを目標ＳＩＲ記憶部３９に設定して目標ＳＩＲを引き上げる。
【００４７】
そして、所要ＳＩＲを目標ＳＩＲ記憶部３９に設定した場合、目標ＳＩＲ切替制御部４２は、タイマ計時を開始する。タイマは、目標ＳＩＲ切替制御部４２の内部に設けられていてもよいし、別に構成されていてもよい。
そして、制御部から、制御データの受信を完了した旨の報知があると、目標ＳＩＲ切替制御部４２は、タイマを停止して、算出ＳＩＲ記憶部４０に記憶されている算出ＳＩＲを目標ＳＩＲ記憶部３９に設定する。
【００４８】
また、タイマ計時開始後予め設定された一定時間が経過（タイムアウト）すると、制御データ受信の可能性が低下するので、目標ＳＩＲ切替制御部４２は、算出ＳＩＲ記憶部４０に記憶されている算出ＳＩＲを目標ＳＩＲ記憶部３９に設定する。
【００４９】
ここで、所要ＳＩＲを目標ＳＩＲ記憶部３９に設定して制御データを待ち受けている期間は、目標ＳＩＲが十分高く設定されていて、通常、トラフィックデータの受信誤りはなく、算出ＳＩＲの値は目標ＳＩＲ算出部３７によって随時更新されているので、タイムアップした時点の算出ＳＩＲは、所要ＳＩＲを目標ＳＩＲ記憶部３９に設定したときの値に比べて低くなる（図３参照）。
これにより、制御データの受信の可能性が高い期間のみ、目標ＳＩＲを高く設定し、制御データ受信の可能性が低くなると、無駄に高い目標ＳＩＲとしないようにして、送信電力を浪費して無線回線容量を低減させてしまうのを防ぐことができるものである。
【００５０】
［目標ＳＩＲ切替制御部４２における制御：図５］
次に、本装置の目標ＳＩＲ切替制御部４２における目標ＳＩＲの切り替え制御について図５を用いて説明する。図５は、本装置の目標ＳＩＲ切替制御部４２における目標ＳＩＲの切り替え制御のフローチャートである。
図５に示すように、目標ＳＩＲ切替制御部４２は、制御部から制御データ送信が報知されたかどうかを監視し（１００）、制御データの送信が行われていない場合（通常の状態、（Noの場合））には、算出ＳＩＲ記憶部４０に記憶されている算出ＳＩＲを目標ＳＩＲとして目標ＳＩＲ記憶部３９に設定し（１０６）、処理を終わる。
【００５１】
また、処理１００で制御データ送信が報知された場合には（Yesの場合）、算出ＳＩＲ記憶部４０に記憶されている算出ＳＩＲと、所要ＳＩＲ記憶部４１に記憶されている所要ＳＩＲとを比較し、算出ＳＩＲ＜所用ＳＩＲであるかどうかを判断する（１０２）。
【００５２】
そして、算出ＳＩＲ＜所用ＳＩＲでなければ（Noの場合）、目標ＳＩＲ切替制御部４２は、算出ＳＩＲを目標ＳＩＲとして目標ＳＩＲ記憶部３９に設定し（１０６）、処理を終わる。
また、処理１０２で、算出ＳＩＲ＜所用ＳＩＲであれば（Yesの場合）、目標ＳＩＲ切替制御部４２は、所要ＳＩＲを目標ＳＩＲとして目標ＳＩＲ記憶部３９に設定する（１０４）。
【００５３】
そして、目標ＳＩＲ切替制御部４２は、制御部から制御データ受信完了が報知されたかどうかを判断し（１１０）、制御データ受信完了が報知されない場合には（Noの場合）、タイマがタイムアウトしたかを判断し（１１２）、タイムアウトしていなければ処理１１０に戻って制御データ受信を待ち受ける。
【００５４】
また、処理１１０で制御データの受信を完了した場合（Yesの場合）、又は処理１１２でタイムアウトした場合（Yesの場合）には、目標ＳＩＲ切替制御部４２は、算出ＳＩＲ記憶部４０に記憶されている算出ＳＩＲを目標ＳＩＲとして目標ＳＩＲ記憶部３９に設定し（１１４）、処理を終わる。
このようにして、本装置の目標ＳＩＲ切替制御部４２における処理が行われるものである。
【００５５】
［実施の形態の効果］
本発明の実施の形態に係る送受信装置によれば、目標ＳＩＲ算出部３７が、長期間の通信品質と目標品質との比較結果に基づいて算出ＳＩＲを求め、算出ＳＩＲ記憶部４０に記憶し、所要ＳＩＲ記憶部４１が、外部から入力された所要ＳＩＲの値を記憶しており、目標ＳＩＲ切替制御部４２が、制御データを送信したことを認識すると、算出ＳＩＲ記憶部４０に記憶された算出ＳＩＲと、所要ＳＩＲ記憶部４１に記憶された所要ＳＩＲとを比較し、算出ＳＩＲ≧所要ＳＩＲであれば、算出ＳＩＲを目標ＳＩＲとして目標ＳＩＲ記憶部３９に記憶し、算出ＳＩＲ＜所要ＳＩＲであれば、所要ＳＩＲを目標ＳＩＲとして目標ＳＩＲ記憶部３９に記憶し、当該目標ＳＩＲと受信信号のＳＩＲとを比較して送信電力の制御を行うようにしているので、制御データの受信の可能性がある時間帯については、目標ＳＩＲを所要ＳＩＲ以上に設定して制御データを誤りなく受信でき、信頼性を向上させることができる効果がある。
【００５６】
また、本発明の実施の形態に係る送受信装置によれば、目標ＳＩＲ算出部３７は、継続して算出ＳＩＲを求めて算出ＳＩＲ記憶部４０を更新しており、目標ＳＩＲ切替制御部４２が、所要ＳＩＲを目標ＳＩＲとして設定すると、制御データの受信完了を認識した場合又は所要ＳＩＲの設定から一定時間が経過した場合には、再び算出ＳＩＲを目標ＳＩＲとして目標ＳＩＲ記憶部３９に記憶するようにしているので、目標ＳＩＲを引き上げる時間は、制御データの受信の可能性がある必要最低限の時間帯に限定し、その他の時間帯には必要以上に目標ＳＩＲを高くして過剰な送信電力を要求しないようにして、無線回線容量の低減を防ぐことができる効果がある。
【産業上の利用可能性】
【００５７】
本発明は、制御データの受信誤りを防ぐと共に、過剰な送信電力による無線回線容量の低減を防ぐことができる送受信装置に適している。
【符号の説明】
【００５８】
１...受信部、  ２...逆拡散部、  ３...Ｒａｋｅ受信部、  ４...復調部、  ５...復号部、  ６...送信電力制御回路、  ７...符号化部、  ８...変調部、  ９...送信部、  ３３...ＳＩＲ測定部、  ３４...比較判定部、  ３５...ＴＰＣｂｉｔ生成部、  ３６...長区間品質測定部、  ３７...目標ＳＩＲ算出部、  ３８...目標品質記憶部、  ３９...目標ＳＩＲ記憶部、  ４０...算出ＳＩＲ記憶部、  ４１...所要ＳＩＲ記憶部、  ４２...目標ＳＩＲ切替制御部
【図１】
2012134600.tif 000003
【図２】
2012134600.tif 000004
【図３】
2012134600.tif 000005
【図４】
2012134600.tif 000006
【図５】
2012134600.tif 000007
【図６】
2012134600.tif 000008
【図７】
2012134600.tif 000009
【図８】
2012134600.tif 000010